(57)【要約】【課題】プラント監視制御向け系統試験装置において、系統試験を実施するにあたり、運転員の作業支援のための作業自動化を行い、運転員の負担を軽減し、試験進行の効率化を図る。【解決手段】プラントと、前記プラントを監視制御する複数台の監視制御装置と、プラント状態を表示し運転操作を前記複数台の監視制御装置へ通知するマンマシン装置と、前記複数台の監視制御装置の系統試験を自動的に行う系統試験装置とからネットワークを構成したプラント監視制御装置向け系統試験装置であって、系統試験装置が、ソフトアイソレーション部と、プラントデータ入力部と、プラントデータフォルダと、試験進行制御部と、表示装置とを備え、プラント監視制御装置の系統試験時にネットワークに介入してプラント設備機器の動作状態を把握する。【選択図】図１
2006163762.tif 000002
【特許請求の範囲】
【請求項１】
プラントと、前記プラントを監視制御する監視制御装置と、プラント状態を表示し運転操作を前記複数台の監視制御装置へ通知するマンマシン装置と、前記監視制御装置の系統試験を行う系統試験装置とから構成したプラント監視制御装置向け系統試験装置であって、
前記系統試験装置は、
模擬信号を出力するソフトアイソレーション部と、
前記模擬信号に対して、前記監視制御装置から返信されるプラントデータを、周期的に取り込むプラントデータ入力部と、
前記プラントデータを保存するプラントデータフォルダと、
系統試験フォルダ内の試験要領フォルダから試験要領書データを取り出し、前記プラントデータフォルダからデータを取り込み、試験結果フォルダに試験履歴データ及び試験結果データとして保存し、模擬データ出力部から前記ソフトアイソレーション部に模擬信号発信を指示する試験進行制御部と、
前記試験履歴データ及び試験結果データを表示する表示装置と
を備えることを特徴とするプラント監視制御装置向け系統試験装置。
【請求項２】
前記系統試験装置は、
試験要領フォルダの試験要領書データから、系統の試験項目を検索し、検索結果を表示する試験対象・項目検索手段と、
各監視制御装置及び前記ソフトアイソレーション部にプラント試験操作指令で、系統試験を実施するプラント試験操作指令・ソフトアイソレーション設定手段と、
各監視制御装置から試験対象機器の応答入力を受けると、試験結果フォルダに保存し、要領書の規定する状態と試験対象機器の状態を比較して合否を判定する試験対象機器状態判定手段と、
その判定結果を要領書判定結果フォルダに保存し、表示かつまたは印刷する試験進行状況・結果表示・印刷手段と
を備えることを特徴とする請求項１に記載のプラント監視制御装置向け系統試験装置。
【請求項３】
前記系統試験装置は、
系統試験の自動実行要求で、前記試験要領フォルダの試験要領書データから、系統の試験項目を検索して、検索結果を表示し、系統試験の自動実行の中断または再開指示要求で、該当する試験項目を選択して、プラント試験操作指令を各監視制御装置へ、シミュレーション指令をソフトアイソレーション部に送る自動プラント試験操作指令手段と、
各監視制御装置から試験対象機器の応答入力を受けると、試験実施履歴と試験対象機器の状態を試験結果フォルダに保存し、前記試験要領書の規定する状態と試験対象機器の状態を比較して合否を判定する試験対象機器状態判定・試験続行可否判定手段と、
判定された結果を要領書判定結果フォルダに保存し、表示かつまたは印刷する試験進行状況・結果表示・印刷手段とを備え、
系統試験が続行可能で中断要求があれば、試験履歴データに中断時情報を保存し、再開要求があれば、全試験項目が完了するまで自動的に系統試験を進行することを特徴とする請求項１に記載のプラント監視制御装置向け系統試験装置。
【請求項４】
前記系統試験装置は、
系統試験を同時に実行する系統が指定されると、前記試験要領フォルダの試験要領書データから、系統の試験項目を検索して、検索結果を表示する同時実行試験検索・グループ化手段と、
同時試験グループ選択及び試験の実行要求で、試験対象グループを選択して、複数の監視制御装置の試験であれば、各監視制御装置間での同期処理を行う他系統系統試験装置同期処理手段と、
前記同期処理が行われると、プラント試験操作指令を各監視制御装置へ、シミュレーション指令をソフトアイソレーション部に送る自動プラント試験同時操作指令手段と、
各監視制御装置から試験対象機器の模擬信号の応答入力を受けると、試験実施履歴と試験対象機器の状態とを前記試験結果フォルダに保存し、前記試験要領フォルダの試験要領書の規定する状態と試験対象機器の状態を比較して合否を判定し、判定された結果を要領書判定結果フォルダに保存し、全試験項目が完了するまで前記自動プラント試験操作指令手段に更新作業を指示する同時試験対象機器状態判定手段と、
前記判定された結果を表示かつまたは印刷する試験進行状況・結果表示・印刷手段と
を備えることを特徴とする請求項１に記載のプラント監視制御装置向け系統試験装置。
【請求項５】
前記系統試験装置は、
試験履歴検索要求で、前記試験要領フォルダの試験要領書データから、系統の試験項目を検索して、検索結果を表示する試験履歴・結果検索手段と、
試験結果選択及び報告書作成要求で、前記試験結果フォルダの試験結果データ、要領書判定結果フォルダの要領書判定データ及び報告書フォーマットフォルダの報告書フォーマットデータを開き、要求された系統試験について、試験結果及び要領書判定結果を検出して、報告書フォルダに保存する報告書データ作成手段と、
検出された試験結果及び要領書判定結果を表示かつまたは印刷する報告書表示・印刷手段と
を備えることを特徴とする請求項１に記載のプラント監視制御装置向け系統試験装置。
【請求項６】
前記系統試験装置は、
バッチ区間が選択されると、バッチ区間データベースから、バッチ区間の系統図、対象機器及びアイソレーション情報を検索し、検索結果を表示するバッチ区間該当系統図・対象機器・アイソレーション情報検索手段と、
試験要領書の作成要請で、要領書フォーマットフォルダの要領書フォーマットを開き、要求された試験について、試験対象機器及びアイソレーション部に送信された情報を検出して、その要領書フォーマットへ記入し、前記試験要領書フォルダに保存する要領書データ作成手段と、
保存された試験要領書データを画面表示及び印刷する要領書表示・印刷手段と
を備えることを特徴とする請求項１に記載のプラント監視制御装置向け系統試験装置。
【請求項７】
前記系統試験装置は、
系統全体試験計画工程の設定要求で、前記試験要領フォルダの試験要領書データ及び前記試験結果フォルダの試験履歴データを開き、複数系統の試験項目を選択し、試験条件、試験順序、同時試験の実施が可能であれば、詳細試験計画データとして保存し、系統全体詳細試験工程の作成を行い、試験員から詳細試験工程の再作成の要求があれば、試験項目の選択を繰返す詳細試験計画工程自動作成・再割り振り手段と、
作成された詳細試験計画データを表示及び印刷する詳細試験計画工程表示・印刷手段と、
詳細試験実績工程の確認要求で、前記試験結果フォルダの試験履歴データ及び試験結果データと詳細試験計画データとを開き、前記試験履歴データと前記試験結果データを照合して、試験完了状況を確認し、前記詳細試験計画データを基に、試験結果をまとめ、詳細試験実績データとして保存する詳細試験実績工程確認データ作成手段と、
保存された詳細試験実績データを表示かつまたは印刷する詳細試験実績工程表示・印刷手段と
を備えることを特徴とする請求項１に記載のプラント監視制御装置向け系統試験装置。
【発明の詳細な説明】
【技術分野】
【０００１】
本発明は、プラント監視制御装置向けの系統試験装置に関する。
【背景技術】
【０００２】
従来、プラント監視制御装置の新設、あるいはプラント監視制御装置のライフサイクル対策等で装置を更新する際の現地試験においては、プラント監視制御装置からの動作要求によるプラント機器の単体動作を確認した後に、プラント全系統の運転操作を行うことにより、装置導入時の動作を検証するという、いわゆる系統試験を実施している。
【０００３】
系統試験では、処理装置、ポンプ、弁等の試験対象機器を含むバッチ処理区間を、運転系統から隔離する形に処置（以後、アイソレーションと呼ぶ）して、通常の運転操作から除外し、プラント自動運転の確認試験を行っている。
【０００４】
このアイソレーションおよび試験確認のいずれも試験員による作業であり、複数系統の試験要領書に基づいて試験項目を1項目毎にシーケンシャルに行っている。
【０００５】
系統試験の実施時には、試験員が、試験要領書を設計図書を基に作成し、作成された試験要領書に基づき、試験項目毎にマンマシン機能（例えば、特許文献1参照。）を使用して、各機器の動作状況の確認及び規定された状態との整合を確認し、その記録を手記し、後日試験報告書として記録を編集する作業を行っていた。
【０００６】
系統試験の進行については、全体試験工程表に基づき、詳細試験実施計画を立案していた。また、系統試験の進行実績確認については、試験実施計画と試験記録を照らし合わせながらその進行を確認するが、いずれも試験員のノウハウを頼りにして行っていた。
【特許文献１】特開平６−７５５１９号公報
【発明の開示】
【発明が解決しようとする課題】
【０００７】
プラント監視制御装置導入時の試験においては、試験員による要領書の作成、機器アイソレーションの対象確認と実施、試験操作、試験確認の作業等、試験員の負担が多い。
【０００８】
また、系統試験は、1系統毎に試験項目を1項目ずつシーケンシャルに行うため、試験進行効率が悪い。
【０００９】
さらに、試験進行における計画立案、実績確認は、試験員のノウハウに依存しているので、多くの点で非効率的かつ非合理的となっている。
【００１０】
本発明のプラント監視制御装置向け系統試験装置は、上記した運転員の作業支援のための作業自動化を行い、試験実施にあたり、運転員の負担を軽減し、試験進行の効率化を図り、運転員の個人差を無くして効率化と合理化を図ることを目的とする。
【課題を解決するための手段】
【００１１】
上記目的を達成するために、本発明のプラント監視装置向け系統試験装置は、プラントと、プラントを監視制御する複数台の監視制御装置と、プラント状態を表示し運転操作を前記複数台の監視制御装置へ通知するマンマシン装置と、複数台の監視制御装置の系統試験を自動的に行う系統試験装置とからネットワークを構成したプラント監視制御装置向け系統試験装置であって、系統試験装置は、模擬信号を出力するソフトアイソレーション部と、模擬信号に対して、監視制御装置から返信されるプラントデータを、周期的に取り込むプラントデータ入力部と、プラントデータを保存するプラントデータフォルダと、試験員が指示すると、系統試験フォルダ内の試験要領フォルダから試験要領書データを取り出し、プラントデータフォルダからデータを取り込み、試験結果フォルダに試験履歴データ及び試験結果データとして保存し、模擬データ出力部からソフトアイソレーション部に模擬信号発信を指示する試験進行制御部と、試験履歴データ及び試験結果データを表示する表示装置とを備え、プラント監視制御装置の系統試験時に前記ネットワークに介入してプラント設備機器の動作状態を把握することを特徴とする。
【発明の効果】
【００１２】
本発明のプラント監視制御装置向け系統試験装置によれば、系統試験実施にあたり、運転員の作業支援のための作業自動化を行って運転員の負担を軽減し、試験進行の効率化を図ることができ、運転員の個人差を無くして合理化を図ることもできる。
【発明を実施するための最良の形態】
【００１３】
以下、本発明の実施の形態について、図面を参照して説明する。なお、後述する各実施の形態において、プラント監視装置向け系統試験装置の構成要素と互いに共通する同一の構成要素については、同一の符号を付してその説明を省略または簡略化する。
【実施例１】
【００１４】
図1は、試験員１と、監視制御盤２４を有し、プラント１０を監視制御する複数台の監視制御装置２０から成るプラント監視制御装置と、プラント状態を表示しながら監視制御装置２０へ運転操作を通知する複数台のマンマシン装置３０と、プラント監視制御装置の系統試験に使用する系統試験装置５０とが、伝送路１００を介してネットワークを構成している構成図である。
【００１５】
ここで、上記監視制御装置盤２４は、実施するプラント機器の状態を表示するグラフィックパネル２５や自動運転操作に使用する自動運転操作パネル２６等を備えており、監視制御装置２０の監視制御を実施する。
【００１６】
また、複数台の監視制御装置２０から成るプラント監視制御装置は、以下のとおり、監視制御機能を実現している。
【００１７】
まず、プラント１０の各設備機器に取り付けられたセンサが、各設備機器の状態量を検出すると、監視制御装置２０のプロセス計装処理部２３が、プラント各機器の状態量を周期的に取り込み、その状態量に基づき、監視制御装置２０のシーケンス制御部２２が、プロセス計装処理部２３を介して、プラント１０の各機器の制御を実施し、また、監視制御装置２０の伝送入出力部２１が、他の監視制御装置２０やマンマシン装置３０ヘ、プラント機器の状態量を、伝送路１００を介して送信する。
【００１８】
次に、マンマシン装置３０では、マンマシン装置３０の伝送入出力処理部３１が、複数台の監視制御装置２０から送信されてくるプラントデータを入力処理してマンマシン装置３０の画面表示手段３２に入力し、表示装置３４にて表示する。また、マンマシン装置３０の運転操作受付手段３３が、運転員１によるプラントの自動運転操作を取り込み、伝送入出力処理部31を介して、対象系統を処理する監視制御装置２０へ通知する。
【００１９】
さらに、監視制御装置２０では、監視制御装置２０の伝送入出力処理部２１を介してシーケンス制御部２２が、運転操作について処理を行い、プラント１０の各機器の制御操作を実施する。
【００２０】
上記プラント監視制御装置を導入する時には、通常、このプラント監視制御装置が正常に動作することを確認する試験として、各監視制御装置の単体試験、プラント１０の各機器のセンサ出力からプロセス計装処理部２３までの電気試験、監視制御装置２０とマンマシン装置３０との間の伝送試験に加えて、プラント監視制御装置全体を試験するいわゆる系統試験を実施する。
【００２１】
この系統試験では、試験員１が、設計図書から試験要領書を作成し、この試験要領書に基づき、試験対象項目を他の運転から切り離すアイソレーションと、試験項目動作の模擬を行い、マンマシン装置３０から試験運転操作入力を実施し、監視制御装置２０を介して実施するプラント１０の操作を試験する。ここまでは、従来の系統試験と変わらない。
【００２２】
本実施例では、試験員１は、上記系統試験時に、以下に示す系統試験装置５０を使用して系統試験を実施する。
【００２３】
すなわち、本実施例による系統試験装置５０は、試験員１からの本装置に対する入力操作を受付ける系統試験装置入力手段６７と、試験員からの試験対象系統と試験項目の選択及び試験進行指示を通知するための試験選択進行指示手段６４と、系統試験の進行制御等を含む系統試験に関する統括的な制御を行う試験進行制御部６０と、試験対象機器に関するプラントデータ計測用のデータ計測部６１と、計測データに基づいて表示情報を作成する機器状態表示部６５と、試験結果の履歴保存を行うための試験結果保存部６３と、試験手順および試験結果を表示するための表示装置６６とを備えている。
【００２４】
また、本実施例による系統試験装置５０は、例として図２に示す試験要領書のデータを保有する試験要領フォルダ９１と、データ計測部６１による計測結果や試験進行制御部６０における判定結果等を含む試験結果情報を記憶するための試験結果フォルダ９２とを有する系統試験フォルダ９０を備えている。
【００２５】
さらに、本実施例による系統試験装置５０は、模擬入力及び出力の処理を実施する模擬信号入出力処理部４１と、試験対象機器を含むバッチ処理区間を運転系統から隔離するための処置を行うソフトアイソレーション処理部４２と、試験員が実施するための模擬信号入力手段４３を有するソフトアイソレーション部４０を備えている。
【００２６】
上記ソフトアイソレーション部４０の模擬信号入出力処理部４１は、試験員からの試験開始指示を受けた試験進行制御部６０から、模擬データ出力部６２を介して、試験環境構築のためのアイソレーションデータを受取る。
【００２７】
さらにまた、本実施例による系統試験装置５０は、伝送路１００に接続されている伝送入出力処理部５１を介して、各監視制御装置２０から送信されるプラント各機器の状態量を、周期的に取り込むプラントデータ入力部５２を備え、取り込まれた各監視制御装置毎のプラントデータを更新するプラントデータフォルダ８０を備えている。
【００２８】
本実施例の系統試験装置５０の全体の動作の流れは、図３のフローチャートに示すとおりである。
【００２９】
以下に、図1及び図３を用いて、本実施例の動作機能を説明する。  
まず、試験員が、系統試験入力手段６７を介して、系統試験を開始すると、試験対象系統と試験項目を選択するために、試験選択進行指示手段６４が、表示装置６６を介して、系統試験フォルダ９０のフォルダ名を表示するとともに、選択系統の試験要領フォルダ９１内の試験要領書データの試験項目を表示する（ステップＳ１１）。
【００３０】
次に、試験選択進行指示手段６４を介して、試験対象系統及び試験項目が、試験進行制御部６０へ通知されると、試験進行制御部６０は、選択系統の試験要領フォルダ９１内の試験要領書データを開き（ステップＳ１２）、試験対象機器及び試験手順を取り込んで（ステップＳ１３）、試験選択進行指示手投６４へ送り、表示装置６６に試験手順が表示される（ステップＳ１４）。
【００３１】
次に、試験員から試験進行指示が、試験選択進行指示手段６４により、試験進行制御部６０へ通知される（ステップＳ１７）と、試験手順の模擬信号投入のため、模擬データ出力部６２が、ソフトアイソレーション部４０へ試験手順の模擬情報を伝送する（ステップＳ１８）。
【００３２】
次に、ソフトアイソレーション部４０は、模擬信号入出力処理部４１へ模擬情報を取り込み、ソフトアイソレーション部４０のソフトアイソレーション処理部４２が、各対象監視制御装置２０毎に模擬信号の投入要求を行う（ステップＳ１９）。
【００３３】
ここで、各監視制御装置２０は、シーケンス制御部２２で模擬信号投入要求を受け付け、模擬対象信号についてはプロセス計装処理部２３への入出力を保護しながら、試験を進行する（ステップＳ２０）。
【００３４】
次に、試験員から、試験選択進行指示手段６４により送られた試験進行通知に応じて、データ計測部６１は、選択された試験手順に対応するデータを、プラントデータフォルダ８０に保存し、そこからから引き出して計測する。得られた計測結果は、試験進行制御部６０へ通知され(ステップＳ２１ａ)、試験進行の制御が行われるとともに、表示装置６６の試験結果欄および計測結果判定欄に更新されて表示される（ステップＳ２２ａ）。
【００３５】
次に、上述の計測結果は、試験結果保存部６３に通知され、系統試験装置５０内で一意に識別可能な試験項目番号・試験日付とファイル名を付され、試験結果フォルダ９２内の試験履歴データ・試験結果データとして履歴保存される（ステップＳ２３ａ）。
【００３６】
以上述べたように、実施例１によれば、プラント監視制御装置の系統試験の実施を自動化することにより、系統試験の効率化が図られ、計測結果を含む試験結果履歴データの健全性評価及び確認を容易に行うことができ、系統試験の精度を向上させることができる。
【実施例２】
【００３７】
本実施例は、実施例1で示したプラント監視制御装置向け系統試験装置５０を用いた系統試験の実行を試験員１が主体的に試験進行を行えるように支援するものである。
【００３８】
図４は、プラント監視装置向け系統試験装置５０ａが、実施例１で示したプラント監視装置向け系統試験装置５０（図４には示していない）に加えて、系統試験実行支援手段１７１と、系統試験フォルダ９０ａとから成ることを示し、さらに、プラント１０、各監視制御装置２０及び運転員１とを加えた関係を示している。
【００３９】
本実施例の系統試験装置５０ａの動作の流れは、図５のフローチャートのようになる。以下に、図４及び図５を用いて、本実施例の動作機能を説明する。
【００４０】
まず、試験員１は、試験を行う対象系統を、試験対象系統・項目表示要求手段１５１に入力し、指定した系統の試験対象項目の表示を要求する（ステップＳ２１）。
【００４１】
次に、試験対象・項目検索手段１４１は、試験要領フォルダ９１内の試験要領書データを開き（ステップＳ２２）、要求された系統の試験項目を検索し（ステップＳ２３）、検索結果表示手段１５２にて表示する（ステップＳ２４）。
【００４２】
なお、試験対象・項目検索にあたっては、試験要領書データを系統や試験名称、識別番号を有する複数の試験要領データとしてあらかじめ登録しておき、要求された系統や試験項目をキーに対象となる系統の試験要領書データを検索する。
【００４３】
次に、試験員１は、上記検索された試験項目に基づき、試験を実施する項目を選択し、試験項目実施指示手段１５３に試験の実行を要求する（ステップＳ２５）。
【００４４】
また、プラント試験操作指令・ソフトアイソレーション設定手段１４２は、試験員１からの要求及び要領書データを基に、各機器やスイッチの操作指令を検索し（ステップＳ２６）、この操作指令を部署別監視制御装置２０へ送信する（ステップＳ２７）。
【００４５】
操作指令を受けた監視制御装置２０は、プラント１0を操作する試験運転を行い、その操作結果として、プラント１０のスイッチ及びセンサからの情報を受信し、系統試験装置５０へ受信した状態を入力する（ステップＳ２８）。
【００４６】
次に、入力されたデータに基づいて、試験対象機器状態判定手段１４３は、試験結果フォルダ９２へ試験履歴データ及び試験結果データの保存を行う（ステップＳ２９）。
【００４７】
また、要領書が規定する試験対象機器の状態と実際の試験結果である機器の状態を比較して、試験員１は、この表示・印刷結果に基づいて、試験の合否を判定する（ステップＳ３０ａ）。
【００４８】
次に、試験の進行状況と合せて、要領書判定結果フォルダ９３へ要領書判定データを保存する。さらに、試験進行状況・結果表示・印刷手段１５４にて表示・印刷することにより、試験の進行状況とその結果を出力する（ステップＳ３１ａ）。
【００４９】
従来は、試験員が要領書を調査し、試験系統ごとに試験対象をピックアップし、マンマシン装置等を使用して試験の模擬操作指令を入力し、その結果をマンマシン装置にて確認し、試験記録を手記する必要があったが、上述の機能を有する系統試験装置によって、マンマシン装置を省略して上述の一連の作業を自動化することができ、その結果、試験効率の向上を図ることができる。
【実施例３】
【００５０】
本実施例は、実施例1で示したプラント監視制御向け装置系統試験装置５０を用いた系統試験の実行を、試験員１の手を煩わせず、完全自動的に試験進行を行うように支援するものである。
【００５１】
図６は、プラント監視装置向け系統試験装置５０ｂが、実施例1で示したプラント監視制御装置向け系統試験装置５０（図６には示していない）に加えて、系統試験実行支援手段２７１と、系統試験フォルダ９０ａとから成ることを示し、さらに、プラント１０、各監視制御装置２０及び運転員１とを加えた関係を示している。
【００５２】
本実施例の系統試験装置５０ｂの動作の流れは、図７のフローチャートのようになる。以下に、図６及び図７を用いて、本実施例の動作機能を説明する。  
試験員１が、系統試験実行支援手段２７１を使用して、系統試験自動実行開始を選択して検索し、検索結果を基に試験自動実行・中断・再開始を行い、試験結果を表示することにより、監視制御装置２０の系統試験を実施している。
【００５３】
まず、試験員１は、試験を行う対象系統を選択し、試験自動実行要求手段２５１に入力し、指定した系統の試験の自動実行を要求する（ステップＳ３１）。
【００５４】
次に、自動プラント試験操作指令手段２４１は、試験要領フォルダ９１内の試験要領書データを開き（ステップＳ３２）、入力された系統の試験項目を検索し（ステップＳ３３）、検索結果表示手段２５２にて検索された試験項目を表示する（ステップＳ３４）。
【００５５】
また、その要領書データを基に、自動実行する試験項目を選択し（ステップＳ３５）、各機器やスイッチの操作指令を検索し（ステップＳ３６）、操作指令を監視制御装置２０へ送信すると（ステップＳ３７）、操作指令を受けた監視制御装置２０は、プラント１０を操作する試験運転を行い、監視制御装置２０は、その操作結果として、プラント１０のスイッチ及びセンサからの情報を受信し、系統試験装置５０へその状態を入力する（ステップＳ３８）。
【００５６】
そして、入力されたデータに基づき、試験対象機器状態判定・試験続行可否判定手段２４２は、試験結果フォルダ９２へ試験履歴データの保存を行う（ステップＳ３９）。また、要領書が規定する試験対象機器の状態と実際の試験結果である機器の状態を比較して（ステップＳ４０ｂ）、試験の進行状況と合せ、要領書判定結果フォルダ９３へ要領書判定データを保存する。さらに、試験進行状況・結果表示・印刷手段１５４にて表示・印刷することにより、試験の進行状況とその結果を出力する（ステップＳ４１ｂ）。さらにまた、試験の続行可否についても判定を行い、判定結果を自動プラント試験操作指令手段２４１に伝える（ステップ４２ｂ）。
【００５７】
この判定結果に基づき、自動プラント試験操作指令手段２４１は、次のステップの試験を続行し、機器の操作指令を出す。この後、実行、状態入力、判定を繰り返し行うことにより、全試験の自動実行を完遂する。
【００５８】
試験対象機器状態判定・試験続行可否判定手段２４２にて試験続行不可能と判定された場合、または、試験途中の運転都合の変化などにより試験の自動実行中断が必要となり、運転員１から試験自動実行中断・再開指示手段２５３を介して中断が要求された場合（ステップＳ４３ｂ）、自動プラント試験操作指令手段２４１は、試験の自動実行を中断する。中断時には、試験情報を試験結果フォルダ９２内の試験履歴データに保存しておき（ステップＳ４４ｂ）、試験員１から試験自動実行中断・再開指示手段２５３により再開が指示された場合には（ステップＳ４５ｂ）、中断した時点を初期状態として再び系統試験自動実行を開始する（ステップＳ４６ｂ）。
【００５９】
従来は、試験員が試験要領書を調査し、試験系統ごとに試験対象をピックアップし、マンマシン装置等を使用して試験の模擬操作指令を入力し、その結果をマンマシン装置によって確認し、試験記録を手記するという一連の作業を、ステップごとに実施する必要があったが、上記機能を有するプラント監視制御装置向け系統試験装置によって、この一連の作業を全てのステップに亘って完全に自動化することができ、その結果、試験効率の大幅な向上を図ることができる。
【実施例４】
【００６０】
本実施例は、実施例1に示したプラント監視制御装置向け系統試験装置５０を用いた系統試験において、他系統の系統試験装置との同期処理を支援ものである。
【００６１】
図８は、プラント監視制御装置向け系統試験装置５０ｃが、実施例１で示したプラント監視制御装置５０（図８には示していない）に加えて、系統試験同時自動実行手段３７１と系統試験フォルダ９０ａとから成ることを示し、さらに、プラント１０、監視制御装置２０、他系統系統試験装置５４及び運転員１とを加えた関係を示している。
【００６２】
試験員１は、系統試験同時自動実行手段３７１を使用して、図９のフローチャートに示すように、試験可能な系統を指定し、試験の同時実施を要求し、検索結果を基に、試験対象グループを選択し、さらに、試験結果を表示することにより、監視制御装置２０の系統試験を実施する。
【００６３】
以下に、図８及び図９を用いて、本実施例の動作機能を説明する。  
まず、試験員１は、試験を行う複数の対象系統を、試験同時実行系統指定手段３５１に指定して、複数系統の試験を同時に実施可能な試験の検索とグループ化を要求する（ステップＳ４１）。
【００６４】
次に、同時実行試験検索・グループ化手段３４１は、試験要領フォルダ９１内の試験要領書データを開き（ステップ４２）、入力された系統の試験項目を検索し、各試験項目同士の同時実施可否を判定し（ステップＳ４４）、判定結果を検索結果表示手段３５２にて表示する（ステップＳ４５）。
【００６５】
ここで、各試験項目同士の同時実施可否の判定とは、各々の試験項目で操作する機器状態に矛盾する項目が無いことを判定することである。
【００６６】
次に、試験員１は、上述した検索とグループ化結果に基づき、同時試験グループ選択・試験実行要求手段３５３によって実行する試験項目グループを指定し、試験の同時実行を要求する（ステップＳ４６）。
【００６７】
次に、自動プラント試験同時操作指令手段３４２は、試験員からの要求に基づき、実施可能試験項目を選択し（ステップ４７）、監視制御装置２０ａに試験操作指令を送信する。操作指令を受けた監視制御装置２０ａは、複数制御装置での試験であることを確認し（ステップＳ４８）、監視制御装置２０ａ間での同期処理を行う（ステップＳ４９）。
【００６８】
次に、試験容量書データと試験対象項目から、監視制御装置２０ａの操作とシミュレーション内容を検索し（ステップＳ５０ｃ）、監視制御装置２０ａへ操作指令、ソフトシミュレーション部にシミュレーション指令を出して（ステップＳ５１ｃ）、プラント１０を操作する同時試験運転を実行する。
【００６９】
次に、監視制御装置２０ａは、その操作結果として、プラント１０のスイッチ及びセンサからの情報を受信し、系統試験装置５０へその状態を入力する（ステップＳ５２ｃ）。
【００７０】
次に、同時実行した試験結果として入力されたデータに基づき、同時試験対象機器状態判定手段３４３は、試験結果フォルダ９２へ試験履歴データの保存及び試験結果データの保存を行う（ステップＳ５３ｃ）。
【００７１】
また、試験要領書が規定する試験対象機器の状態と実際の試験結果である機器の状態を比較し（ステップ５４ｃ）、試験の進行状況と合せ、要領書判定結果フォルダ９３へ要領書判定データとして保存し、試験進行状況・結果表示・印刷手段１５４にて表示・印刷する（ステップＳ５５ｃ）。試験員１は、この表示・印刷結果に基づき、試験の合否を判定する。
【００７２】
一方、同時に実施する系統試験は、同−ネットワーク上にある他の系統試験装置を使用することによつても可能である。
【００７３】
以上述べたように、他系統系統試験装置同期処理手段３４４は、他系統系統試験装置５４内の他系統試験装置同期処理手段と同期して、自動プラント試験同時操作指令手段３４２を制御することによって、複数の系統試験装置からの同時試験を実施することが可能である。
【００７４】
従来は、試験員が、要領書を調査し、試験系統は−系統ごとに試験を実施する必要があったが、上記手段を有する系統試験装置によって、複数の系統の試験を同時に実行することができ、その結果、試験効率の向上を図ることができる。
【実施例５】
【００７５】
本実施例では、実施例１で示したプラント監視制御装置向け系統試験装置５０の付加機能として、試験員１が、試験報告書作成対象を検索して、結果表示を行い、その検索結果を基に、試験報告書を作成することを支援する機能を備えたプラント監視制御装置向け系統試験装置５０ｄについて説明する。
【００７６】
図１０は、実施例2、3または4において、試験結果フォルダ９２に収集された試験履歴データ及び試験結果データ並びに要領書判定結果フォルダ９３に収集された要領書判定データに基づき、例として図１１に示すような試験報告書を作成するための構成を示した構成図である。
【００７７】
同図は、プラント監視制御装置向け系統試験装置５０ｄが、実施例１で示したプラント監視制御装置５０（図８には示していない）に加えて、系統試験報告書作成支援手段４７１と、系統試験フォルダ９０とから成ることを示し、これに試験員１を加えた関係を示している。
【００７８】
試験員１は、試験報告書作成時に、系統試験報告書作成支援手段４７１を使用して、図１２のフローチャートに示すように、試験報告書作成対象を検索して、結果を表示し、検索結果を基に、試験報告書を作成して、提供する。
【００７９】
以下に、図１０及び図１２を用いて本実施例の動作機能を説明する。  
まず、試験員１は、報告書に記載する対象の試験名称等を、試験履歴検索要求手段４５１に入力し、試験履歴及び結果の表示を要求する（ステップＳ５１）。
【００８０】
これを受けて、試験履歴・結果検索手段４４１は、試験結果フォルダ９２及び要領書判定結果フォルダ９３に収集された試験履歴データ及び試験結果データ並びに要領書判定データを開き（ステップＳ５２並びにステップＳ５６）、要求された対象の試験履歴及び結果を検索し、検索結果表示手段４５２へ表示する（ステップＳ５４）。
【００８１】
なお、試験履歴・結果及び要領書判定結果の検索にあたっては、試験結果フォルダ９２と要領書判定結果フォルダ９３に収集された試験履歴データ及び試験結果データ並びに要領書判定データに保存された互いに異なる試験名称や識別番号および試験日時を有する複数のデータの中から、入力された対象のデータを前記試験名称または前記識別番号をキーとして検索する。
【００８２】
次に、試験員１は、上記検索された試験履歴及び結果並びに要領書判定結果に基づき、報告書として作成する内容を選択し、試験結果選択・報告書作成要求手段４５３に報告書の作成及び出力を要求する（ステップＳ５５）。
【００８３】
そして、報告書フォーマットフォルダ４６１から使用するフォーマットを開き（ステップＳ５６）、報告書データ作成手段４４２は、試験員１からの要求を基に、要求された試験について、試験結果・要領書判定結果を検索し（ステップＳ５７）、試験結果を報告書フォーマットヘ書き出し（ステップＳ５８）、報告書フォルダ４６２ヘデータ出力するとともに、報告書表示・印刷手段４５４へ出力する。報告書表示・印刷手段４５４は、報告書の出力を行う（ステップＳ５９）。
【００８４】
従来は、試験員が試験終了後、各試験ステップごとに手記した記録に基づいて、試験報告書のフォーマットに編集して纏める必要があったが、上記手段を有する系統試験装置によって、記録の検索及びフォーマットヘの記載様式編集を行うことにより、報告書を容易に作成することができ、その結果、業務の効率化を図ることができる。
【実施例６】
【００８５】
本実施例では、実施例１で示したプラント監視制御装置向け系統試験装置５０の付加機能として、試験員１が、設計図書を基に、バッチ区間毎の要領書作成対象を検索して、結果表示を行い、その検索結果を基に、要領書フォーマットを指定し、試験要領書を作成することを支援する機能を備えたプラント監視制御装置向け系統試験装置５０ｅについて説明する。
【００８６】
図１３は、プラント監視制御装置向け系統試験装置５０ｅが、実施例１で示したプラント監視制御装置５０（図８には示していない）に加えて、系統試験要領書作成支援手段５７１と、系統試験フォルダ９０ｃから成ることを示し、これに試験員１を加えた関係を示している。
【００８７】
試験員１は、系統試験要領書作成支援手段５７１を使用して、図１４のフローチャートに示すように、設計図書を基に、バッチ区間毎の要領書を作成し、検索結果を基に、要領書フォーマットを指定して系統試験要領書を作成する。
【００８８】
以下に、図１３及び図１４を用いて、本実施例の構成機能を説明する。  
まず、試験員１は、試験対象のバッチ区間に対する試験要領書を作成するために、バッチ区間選択手段５５１に対象バッチ区間を入力し、その区間に関わる系統図の表示及び試験対象となる機器、並びにそれに関するアイソレーション情報の表示を要求する（ステップＳ６１）。
【００８９】
これを受けて、バッチ区間該当系統図・対象機器・アイソレーション情報検索手段５４１は、バッチ区間データベース５６２及びプラント系統図データベース５６１を開き（ステップＳ６２）、要求されたバッチ区間に関する試験対象機器及びアイソレーション情報及び該当機器を含む系統図を検索し（ステップＳ６２）、検索結果表示手段５５２へ表示する。
【００９０】
なお、バッチ区間の試験対象機器・アイソレーション情報の検索にあたっては、あらかじめ設計図書を基にした情報を、バッチ区間データベース５６２及びプラント系統図データベース５６１に登録しておき、バッチ区間の指定をキーにして検索し、バッチ区間該当系統図の検索にあたっては、あらかじめプラント監視制御装置の表示データを基にした情報を取り込んでおき、試験対象機器をキーにして検索する（ステップＳ６３）。さらに、検索結果を表示する（ステップＳ６４）。
【００９１】
次に、試験員１は、バッチ区間該当系統図・対象機器・アイソレーション情報検索手段５４１により、上述のように検索された情報から、要領書として作成する内容を確認し、要領書フォーマットフォルダ５６３から使用するフォーマットを選択し、試験要領書作成要求手段５５３に、要領書の作成及び必要データの入力並びに出力を要求する（ステップＳ６５）。
【００９２】
次に、要領書データ作成手段５４２は、試験員１からの要求を基に、要領書フォーマットデータを開き（ステップＳ６６）、試験対象機器及びアイソレーション情報を検索し（ステップＳ６７）、要領書フォーマットへ書き出し（ステップＳ６８）、試験員１からの試験条件等の要求内容を付加し、試験要領フォルダ９１内の試験要領書データへ保存する（ステップＳ６９）とともに、要領書表示・印刷手段５５４に出力すると、要領書表示・印刷手段５５４は、要領書を出力する。
【００９３】
従来は、試験員が試験開始前に、系統の各バッチ区間毎に、その対象となる機器を調査し、試験要領書のフォーマットへ編集して纏め、また、試験実施に必要なアイソレーション情報についても調査する必要があったが、上記手段を有する系統試験装置を用いて、バッチ区間の対象機器調査及びフォーマットヘの記載様式編集、またアイソレーション情報の検索・出力を行うことができるので、要領書作成業務の効率化を図ることができる。
【実施例７】
【００９４】
本実施例では、実施例１で示したプラント監視制御装置向け系統試験装置５０の付加機能として、試験員１が、系統の試験工程を設定するとともに、詳細試験計画工程に対し、試験進捗実績を確認することを支援する機能を備えたプラント監視制御装置向け系統試験装置５０ｆについて説明する。
【００９５】
図１５は、複数のプラント監視制御装置向け系統試験装置５０ｆが、実施例１で示したプラント監視制御装置５０（図８には示していない）に加えて、系統詳細試験計画作成・実績確認支援手段６７１と、系統試験フォルダ９０とから成ることを示し、これに試験員１を加えた関係を示す構成図である。
【００９６】
試験員１は、系統詳細試験計画作成・実績確認支援手段６７１を使用して、図１６のフローチャートに示すように、系統の試験工程を設定し、詳細試験計画工程に対し、試験進捗実績を確認する。
【００９７】
以下に、図１５及び１６を用いて、本実施例の動作機能を説明する。  
まず、試験員１は、系統試験の詳細計画を立案するために、系総全体試験計画工程設定手段６５１に、系統全体の系統試験計画工程を入力し、所定の期間にて各試験項目の試験を実施し、完了するための詳細試験計画の立案を要求する（ステップＳ７１）。
【００９８】
詳細試験計画工程自動作成・再割り振り手段６４１は、試験要領フォルダ９１内の試験要領書データに基づき複数系統の試験項目を選択し（ステップＳ７３）、試験条件や試験順序及び同時試験の実施可否を判定し、詳細試験計画工程として計画を立案する（ステップＳ７７）。また、立案された計画は、詳細試験計画工程表示・印刷手段６５３により、表示及び印刷されるとともに、詳細試験計画データ６６１へ保存される（ステップＳ７５）。
【００９９】
ここで、立案された詳細試験計画工程は、試験員１からの詳細試験計画工程修正入力手段６５２による詳細試験工程の修正及び試験結果フォルダ９２内の試験履歴データから、詳細試験の進捗状況に合せて見直しの要請を受ける（ステップＳ７７）。
【０１００】
次に、詳細試験計画工程自動作成・再割り振り手段６４１の詳細試験計画の再割り振り機能によって、再割り振りが実施され、改めて詳細試験計画工程表示・印刷手段６５３によって表示及び印刷される（ステップＳ７８）。
【０１０１】
次に、試験員１は、上述のように計画された詳細試験計画に対し、詳細試験実績工程確認要求手段６５４に、詳細試験計画工程に対する試験進捗実績の確認を要求する（ステップ７１ｄ）。
【０１０２】
詳細試験実績工程確認データ作成手段６４２は、詳細試験計画データ６６１並びに試験結果フォルダ９２に収集された試験履歴データ及び試験結果データを開き（ステップＳ７２ｄ）、試験履歴データと試験結果データを照合して、試験完了状況を確認する（ステップＳ７３ｄ）。
【０１０３】
また、詳細試験の進捗実績をまとめて詳細試験実績工程確認データを作成し（ステップＳ７４ｄ）、詳細試験実績工程表示・印刷手段６５５に詳細試験実績工程を出力する（ステップＳ７５ｄ）。
【０１０４】
この結果、試験員１は、試験毎に規定される実施条件やプラント工程に合致した詳細試験計画工程を、予め設定・作成した試験実施条件情報、プラント工程及び試験候補日算出テーブルを利用して自動的に作成することができる。
【０１０５】
従って、従来、試験員１のノウハウに頼って作成していた詳細試験工程計画作成業務の効率化を図ることができ、実際の運用に即した精度の高い系統詳細試験計画工程を作成することができる。また、試験実績に基づき自動的に詳細試験実績工程を作成することにより、進捗の管理を無駄なく実施し、さらに、実績に合せて自動的に工程を再割り振りすることにより、詳細試験工程計画作成業務の効率化を図ることができる。
【図面の簡単な説明】
【０１０６】
【図１】本発明の実施形態の実施例１の系統試験装置の構成図。
【図２】実施例1の手順フォルダ内の要領書文書ファイルを示す図。
【図３】実施例１の機能的な流れを示すフローチャート。
【図４】本発明における実施例２の系統試験実行支援手段の構成図。
【図５】実施例２の機能的な流れを示すフローチャート。
【図６】本発明における実施例3の系統試験自動実行手段の構成図。
【図７】実施例３の機能的な流れを示すフローチャート。
【図８】本発明における実施例4の系統試験同時自動実行手段の構成図。
【図９】実施例４の機能的な流れを示すフローチャート。
【図１０】本発明における実施例5の系統試験報告書作成支援手段の構成図。
【図１１】実施例５に示す試験手順表示の例を示す図。
【図１２】実施例５の機能的な流れを示すフローチャート。
【図１３】本発明における実施例6の系統試験要領書作成支援手段の構成図。
【図１４】実施例６の機能的な流れを示すフローチャート。
【図１５】本発明における実施例7の系統詳細試験計画作成・実績確認支援手段の構成図。
【図１６】実施例７の機能的な流れを示すフローチャート。
【符号の説明】
【０１０７】
1…試験員、１０…プラント、２０…監視制御装置、２１…伝送入出力処理部、２２…シーケンス制御部、２３…プロセス計装処理部、２４…監視制御装置盤、２５…グラフィックパネル、２６…自動運転操作パネル、３０…マンマシン装置、３１…伝送入出力処理部、３２…画面表示手段、３３…運転操作受付手段、３４…表示装置、３５…ソフトアイソレーション部、４１…模擬信号入出力処理部、４２…ソフトアイソレーション処理部、４３…模擬信号入力手段、５０…系統試験装置、５１…．伝送入出力処理部、５２…プラントデータ入力部、５４…他系統系統試験装置、６０…試験進行制御部、６１…データ計測部、６２…模擬データ出力部、６３…試験結果保存部、６４…試験選択進行指示手段、６５…機器状態表示部、６６…表示装置、８０…プラントデータフォルダ、９０…系統試験フォルダ、９１…試験要領フォルダ、９２…試験結果フォルダ、９３…要領書判定結果フォルダ、１００…伝送路、１４１…試験対象・項目検索手段、１４２…プラント試験操作指令・ソフトアイソレーション設定手段、１４３…試験対象機器状態判定手段、１５１…試験対象系統・項目表示要求手段、１５２…検索結果表示手段、１５３…試験項目実施指示手段、１５４…試験進行状況・結果表示・印刷手段、１７１…系統試験実行支援手段、２４１…自動プラント試験操作指令手段、２４２…試験対象機器状態判定・試験続行可否判定手段、２５１…試験自動実行要求手段、２５２…検索結果表示手段、２５３…試験自動実行中断・再開指示手段、２５４…試験進行状況・結果表示・印刷手段、２７１…系統試験自動実行手段、３４１…同時実行試験検索・グループ化手段、３４２…自動プラント試験同時操作指令手段、３４３…同時試験対象機器状態判定手段、３４４…他系統系統試験装置同期処理手段、３５１…試験同時実行系統指定手段、３５２…検索結果表示手段、３５３…同時試験グループ選択・試験実行要求手投、３５４…試験進行状況・結果表示・印刷手段、３７１…系統試験同時自動実行手段、４４１…試験履歴・結果検索手段、４４２…報告書データ作成手段、４５１…試験履歴検索要求手段、４５２…検索結果表示手段、４５３…試験結果選択・報告書作成要求手段、４５４…報告書表示・印刷手段、４６１…報告書フォーマットフォルダ、４６２…十系統試験報告書作成支援手段、５４１…バッチ区間該当系統図・対象機器・アイソレーション情報検索手段、５４２…要領書データ作成手段、５５１…バッチ区間選択手段、５５２…検索結果表示手段、５５３…試験要領書作成要求手段、５５４…要領書表示・印刷手段、５６１…プラント系統図データベース、５６２…バッチ区間データベース、５６３…要領書フォーマットフォルダ、５７１…系統試験要領書作成支援手段、６４１…詳細試験計画工程自動作成・再割り振り手段、６４２…詳細試験実績工程確認データ作成手段、６５１…系統全体試験計画工程設定手段、６５２…詳細試験計画工程修正入力手段、６５３…詳細試験計画工程表示・印刷手投、６５４…詳細試験実演工程確認要求手段、６５５…詳細試験実績工程表示・印刷手投、６６１…詳細試験計画データ、６７１系統詳細試験計画作成・実績確認支援手段。
【図１】
2006163762.tif 000003
【図２】
2006163762.tif 000004
【図３】
2006163762.tif 000005
【図４】
2006163762.tif 000006
【図５】
2006163762.tif 000007
【図６】
2006163762.tif 000008
【図７】
2006163762.tif 000009
【図８】
2006163762.tif 000010
【図９】
2006163762.tif 000011
【図１０】
2006163762.tif 000012
【図１１】
2006163762.tif 000013
【図１２】
2006163762.tif 000014
【図１３】
2006163762.tif 000015
【図１４】
2006163762.tif 000016
【図１５】
2006163762.tif 000017
【図１６】
2006163762.tif 000018